(57)【特許請求の範囲】
【請求項１】
データを表示部上に表示するための表示制御装置であって、
前記表示部と、
記憶装置からＩＤを読み取る情報読み取り手段と、
表示処理を行うか、登録処理を行うかをユーザによる操作に基づき判定し、当該判定の結果に応じて前記表示処理又は前記登録処理を行う制御手段と、を備え、
前記制御手段は、
前記表示処理を行う際に、前記ＩＤに対応付けられたデータを取得し、当該データを前記表示部上に表示し、
前記登録処理を行う際に、前記表示部上に複数のウィンドウを表示している場合において、当該複数のウィンドウから１つのウィンドウを選択し、当該１つのウィンドウに表示されたデータのアドレスと、記憶装置から読み取られたＩＤとをＩＤ情報格納装置に格納する
ことを特徴とする表示制御装置。
【請求項２】
前記情報読み取り手段は、前記表示部上にかざされた前記記憶装置から前記ＩＤを読み取る
ことを特徴とする請求項１に記載の表示制御装置。
【請求項３】
前記制御手段は、前記表示処理を行う際に、前記ＩＤを通信ネットワークを介してＩＤ情報格納装置に送信し、当該ＩＤ情報格納装置において前記ＩＤと対応付けて格納されているアドレスを、当該ＩＤ情報格納装置から取得し、当該アドレスに基づき前記データを取得する
ことを特徴とする請求項１又は２に記載の表示制御装置。
【請求項４】
前記制御手段は、前記表示処理を行う際に、前記ＩＤを通信ネットワークを介してＩＤ情報格納装置に送信し、当該ＩＤ情報格納装置が、前記ＩＤと対応付けて格納されているアドレスに基づき前記データを取得し、前記制御手段が当該データを取得する
ことを特徴とする請求項１又は２に記載の表示制御装置。
【請求項５】
前記制御手段は、前記ユーザによる操作として、前記制御手段により前記表示部上に表示された登録を示す画像が選択されたこと、又は、前記制御手段により前記表示部上に表示されたデータが選択されたことを検知した場合に、前記登録処理を行うと判定する
ことを特徴とする請求項１ないし４のうちいずれか１項に記載の表示制御装置。
【請求項６】
前記制御手段は、前記登録処理を行う際に、前記表示部上に複数のウィンドウを表示している場合において、当該複数のウィンドウからアクティブになっているウィンドウを選択し、当該ウィンドウに表示されたデータのアドレスと前記ＩＤとを前記ＩＤ情報格納装置に格納する
ことを特徴とする請求項１ないし５のうちいずれか１項に記載の表示制御装置。
【請求項７】
データを表示部上に表示するための表示制御装置であって、当該表示部を備える表示制御装置が実行する表示制御方法であって、
表示処理を行うか、登録処理を行うかをユーザによる操作に基づき判定し、
前記判定の結果により前記表示処理を行う際に、記憶装置からＩＤを読み取り、前記ＩＤに対応付けられたデータを取得し、当該データを前記表示部上に表示し、
前記判定の結果により前記登録処理を行う際に、前記表示部上に複数のウィンドウを表示している場合において、当該複数のウィンドウから１つのウィンドウを選択し、当該１つのウィンドウに表示されたデータのアドレスと、記憶装置から読み取られたＩＤとをＩＤ情報格納装置に格納する
ことを特徴とする表示制御方法。
【請求項８】
コンピュータを、請求項１ないし６のうちいずれか１項に記載の前記表示制御装置の制御手段として機能させるためのプログラム。
【発明の詳細な説明】
【技術分野】
【０００１】
本発明は、簡易な操作でデータをディスプレイ上に表示させる技術に関するものである。
【背景技術】
【０００２】
従来、あるデバイスにあるデータを他のデバイスで見たり、他人と共有したい場合、記録媒体にデータを格納することでデータを移動させたり、予めネットワーク経由等でデータを他のデバイスに転送する必要があった。
【先行技術文献】
【特許文献】
【０００３】
【特許文献１】特開2009-134349号公報
【発明の概要】
【発明が解決しようとする課題】
【０００４】
しかし、上記従来技術のように、記録媒体を用いる場合、データの移動は手間がかかる。また、記録媒体に格納されたデータを持ち出すことについてセキュリティ上の問題がある場合もある。
【０００５】
また、予めネットワーク経由等でデータを転送しておいた場合においても、データを表示するためにはＰＣや携帯端末等からフォルダを開いて保管場所を指定する必要があり、時間がかかることもあり非効率である。
【０００６】
本発明は上記の点に鑑みてなされたものであり、簡易な操作でデータをディスプレイ上に表示させることを可能とする技術を提供することを目的とする。
【課題を解決するための手段】
【０００７】
上記の課題を解決するために、本発明は、データを表示部上に表示するための表示制御装置であって、
記憶装置からＩＤを読み取る情報読み取り手段と、
表示処理を行う際に、前記ＩＤに対応付けられたデータを取得し、当該データを前記表示部上に表示する制御手段と、を備え、
前記制御手段は、登録処理を行う際に、前記表示部上に複数のウィンドウを表示している場合において、当該複数のウィンドウから１つのウィンドウを選択し、当該１つのウィンドウに表示されたデータのアドレスと、記憶装置から読み取られたＩＤとをＩＤ情報格納装置に格納する表示制御装置として構成される。
【０００８】
前記情報読み取り手段は、前記表示部上にかざされた前記記憶装置から前記ＩＤを読み取ることとしてもよい。
【０００９】
前記制御手段は、前記表示処理を行う際に、前記ＩＤを通信ネットワークを介してＩＤ情報格納装置に送信し、当該ＩＤ情報格納装置において前記ＩＤと対応付けて格納されているアドレスを、当該ＩＤ情報格納装置から取得し、当該アドレスに基づき前記データを取得することとしてもよい。
【００１０】
前記制御手段は、前記表示処理を行う際に、前記ＩＤを通信ネットワークを介してＩＤ情報格納装置に送信し、当該ＩＤ情報格納装置が、前記ＩＤと対応付けて格納されているアドレスに基づき前記データを取得し、前記制御手段が当該データを取得することとしてもよい。
【００１１】
前記制御手段は、登録処理を行うことを示す所定の操作がなされたことを検知した場合に、前記登録処理を行うこととしてもよい。
【００１２】
前記所定の操作は、例えば、前記制御手段により前記表示部上に表示された登録を示す画像が選択されること、又は、前記制御手段により前記表示部上に表示されたデータが選択されることである。
【００１３】
前記制御手段は、前記登録処理を行う際に、前記表示部上に複数のウィンドウを表示している場合において、当該複数のウィンドウからアクティブになっているウィンドウを選択し、当該ウィンドウに表示されたデータのアドレスと前記ＩＤとを前記ＩＤ情報格納装置に格納することとしてもよい。
【００１４】
また、本発明は、前記表示制御装置が実行する表示制御方法、及び、コンピュータを、前記表示制御装置の制御手段として機能させるためのプログラムとして構成することもできる。
【発明の効果】
【００１５】
本発明によれば、簡易な操作でデータをディスプレイ上に表示させることが可能となる。これにより、ユーザはストレスを感じることなく目的のデータを効率的に表示することが可能となる。
【図面の簡単な説明】
【００１６】
【図１】本発明の実施の形態に係る情報表示システムを使用する際のイメージを示す図である。
【図２】本発明の実施の形態に係る情報表示システムの構成図である。
【図３】本発明の実施の形態に係る表示制御部１２の構成図である。
【図４】本発明の実施の形態に係る情報表示システムにおける表示処理の動作例を示すシーケンス図である。
【図５】本発明の実施の形態に係る情報表示システムにおける登録処理の動作例を示すシーケンス図である。
【図６】登録処理の際の画面表示例を示す図である。
【図７】登録処理の他の動作例を示す図である。
【図８】登録処理の他の動作例を示す図である。
【発明を実施するための形態】
【００１７】
以下、図面を参照して本発明の実施の形態を説明する。なお、以下で説明する実施の形態は一例に過ぎず、本発明が適用される実施の形態は、以下の実施の形態に限られるわけではない。
【００１８】
図１は、本発明の実施の形態に係る情報表示システムを使用する際のイメージを示す図である。図１に示すように、テーブル等に情報表示装置１０が備えられており、ユーザが、ＩＤを格納した記憶装置２０を情報表示装置１０の表示部上にかざすことで、ＩＤと対応付けられたデータが情報表示装置１０上に表示される。当該データは、例えばネットワーク接続された装置やクラウドから取得される。また、例えば、データが情報表示装置１０上に表示されている状態で、ユーザが記憶装置２０を情報表示装置１０上にかざすことで当該データのアドレスをＩＤと対応付けて登録する。
【００１９】
上記の記憶装置２０は、例えば、ＮＦＣ（near field communication）、ＲＦＩＤ等の近距離無線通信機能を備えたカードであり、ＩＤを記憶している。記憶装置２０は、カードに限られず、例えばＮＦＣ機能を備えたスマートフォン等の携帯端末であってもよい。ＩＤは、記憶装置２０を識別する識別情報である。情報表示装置１０上に表示される「データ」は、特定の種類に限定されず、例えば、編集アプリケーション、プレゼンテーションアプリケーション、表計算アプリケーション等のファイル、インターネット上のコンテンツ（Ｗｅｂ画面）、写真、動画等である。データの「アドレス」とは、データが保存されている場所を示すものであり、例えば、ファイルパス、ＵＲＬ等である。また、情報表示装置１０は、一例として、オフィスにおいて共同で作業するようなスペースや、公共の場所に設置される。なお、ＩＤを読み取る手法は上記のように近距離無線通信を用いる手法に限られず、例えば、ＩＤを記述した媒体からＩＤの画像を読み取り、画像認識によってＩＤを識別する手法を用いてもよい。
【００２０】
また、記憶装置２０を情報表示装置１０の表示部（ディスプレイ）上に「かざす」とは、記憶装置２０と表示部とが非接触である状態のみならず、接触する状態（例：置く）も含む。すなわち、記憶装置２０（カードやスマホ等の端末）の中にある情報が、あたかもディスプレイに瞬時に移動したかのような感覚を実現するためには、記憶装置２０をディスプレイ（の近くの情報読み取り部）に近づけたり、置いたりするのが効果的である。
【００２１】
このように本実施の形態では、カード等の記憶装置２０を情報表示装置１０にかざすだけで、例えば他者と共有したいファイルやアプリケーションを情報表示装置１０上に表示させることができる。すなわち、ユーザにストレスを感じさせることなく、目的のものを効率的に表示することができる。
【００２２】
以下、本実施の形態をより詳細に説明する。
【００２３】
（システム構成）
図２に、本発明の実施の形態に係る情報表示システムの構成図を示す。図２に示すように、本実施の形態に係る情報表示システムは、情報表示装置１０とＩＤ情報格納装置３０を備える。
【００２４】
本実施の形態では、情報表示装置１０とＩＤ情報格納装置３０とはインターネット等のネットワークにより接続されている。ＩＤ情報格納装置３０はいわゆるクラウド内に備えられる装置であってもよい。なお、ＩＤ情報格納装置３０の配置場所はこれに限るわけではなく、ＩＤ情報格納装置３０の機能（データベース３１）を情報表示装置１０内に備えてもよい。
【００２５】
ＩＤ情報格納装置３０は、データベース３１を含み、データベース３１には、ＩＤとアドレスとが対応付けて格納されている。図２には、１つのＩＤに１つのアドレスが対応付けられた例が示されているが、１つのＩＤに複数のアドレスが対応付けられていてもよい。その場合、データ表示の際には、全部のアドレスに対応するデータを表示してもよいし、表示するデータを選択するようにしてもよい。
【００２６】
ＩＤ情報格納装置３０は、情報表示装置１０の表示制御部１２から登録要求を受けてＩＤとアドレスをデータベース３１に格納する機能、及び、表示制御部１２からアドレス取得要求を受けて、要求に係るＩＤに対応するアドレスを表示制御部１２に送信する機能を含む。
【００２７】
情報表示装置１０は、表示部１１、及び表示制御部１２を含む。表示部１１は、データを表示するためのディスプレイ装置である。表示部１１は、データを表示する機能のみでなく、ユーザからのタッチ操作によりデータ入力を受け付ける操作機能も含むこととしてもよい。本実施の形態では、表示部１１は、データを表示する機能と操作機能を含むものとする。
【００２８】
図３に、本実施の形態における表示制御部１２の構成図を示す。図３に示すように、表示制御部１２は、情報読み取り部１２１、表示・操作処理部１２２、情報送受信部１２３、処理制御部１２４を備える。
【００２９】
情報読み取り部１２１は、記憶装置２０からＩＤを読み取る機能を含む。表示・操作処理部１２２は、表示部１１にデータを表示させる機能、及び表示部１１上で行われたタッチ操作によるデータ入力を受け付ける機能を含む。情報送受信部１２３は、ＩＤ情報格納装置３０との間で情報の送受信を行う機能、及び、ＩＤ情報格納装置３０から受信したアドレスが情報表示装置１０外の場所（例：ＵＲＬ）を示す場合に、処理制御部１２４により制御に基づき、当該アドレスにネットワークを介してアクセスし、当該アドレスが示す場所に格納されたデータを受信する機能も含む。
【００３０】
処理制御部１２４は、アプリケーションによるデータ表示、格納等の制御、記憶装置２０から読み取ったＩＤによる表示、登録に係る制御等を行う機能を備える。処理制御部１２４は、メモリ等の記憶手段を含んでおり、当該記憶手段には、データを表示したり操作を受け付けたりするアプリケーション（プログラム）が格納されている。以下で説明する情報表示装置１０における処理制御は主に処理制御部１２４により実行される。
【００３１】
情報表示装置１０は、表示部１０と表示制御部１２とが一体で構成されてもよいし、別々の装置（表示装置と表示制御装置）として構成されてもよい。なお、表示部１０と表示制御部１２とが一体で構成されている場合でも、情報表示装置１０を表示制御装置と称してもよい。また、情報読み取り部１２１は、表示制御部１２とは別の装置として構成されてもよい。表示部１０と表示制御部１２とが別々に構成される場合でも、表示制御部１２の情報読み取り部１２１は、表示部１０上にかざされた記憶装置２０からＩＤを読み取れる程度に、表示部１０と近い位置に配置される。
【００３２】
本実施の形態における情報表示装置１０における表示制御部１２は、１つ又は複数のコンピュータに、実施の形態で説明する処理内容を記述したプログラムを実行させることにより実現可能である。すなわち、表示制御部１２の処理制御部１２４が有する機能は、当該表示制御部１２を構成するコンピュータに内蔵されるＣＰＵやメモリ、ハードディスクなどのハードウェア資源を用いて、各部で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００３３】
（システムの動作）
次に、本実施の形態における情報表示システムの動作例をシーケンス図等を参照しながら説明する。
【００３４】
＜表示処理の動作例＞
図４は、本実施の形態においてデータを情報表示装置１０に表示する場合における動作例を示す図である。図４における動作の前提として、ＩＤ情報格納装置３０におけるデータベース３１に、記憶装置２０に格納されているＩＤと、表示させたいデータのアドレスとが対応付けて格納されているものとする。
【００３５】
ユーザが記憶装置２０を情報表示装置１０の表示部１１上にかざすと、情報表示装置１０における表示制御部１２が、記憶装置２０からＩＤを読み取る（ステップ１）。なお、記憶装置２０を表示部１１上にかざすとは、表示部１１の表示画面を真上から見たときに、記憶装置２０を画面内の領域上にかざすことに限られず、画面外の領域上でかざす場合も含むものとする。
【００３６】
情報表示装置１０における表示制御部１２において、処理制御部１２４はＩＤを情報送受信部１２３からＩＤ情報格納装置３０に送信する（ステップ２）。
【００３７】
ＩＤを受信したＩＤ情報格納装置３０は、当該ＩＤに基づきデータベース３１を検索し、当該ＩＤに対応するアドレスを取得する。そして、ＩＤ情報格納装置３０は取得したアドレスを情報表示装置１０に送信する（ステップ３）。
【００３８】
アドレスを受信した情報表示装置１０の表示制御部１２は、処理制御部１２４による制御に基づき、当該アドレスに対応するデータを取得し、当該データを表示部１１に表示する。例えば、アドレスがＵＲＬであるとすると、表示制御部１２はアプリケーション（ブラウザ）を起動するとともに、当該ＵＲＬにアクセスしてデータ（コンテンツ）を取得し、表示部１１に表示する。
【００３９】
また、例えば、アドレスがファイルパスであるとすると、表示制御部１２は、当該ファイルの種類に対応するアプリケーション（例：プレゼンテーションアプリケーション）を起動するとともに、当該ファイルパスに対応する場所にアクセスし、データ（ファイル）を取得して表示部１１に表示する。なお、既にデータに対応するアプリケーションが起動されていれば、アプリケーションを起動する処理は行われない。
【００４０】
例えば、プレゼンテーションアプリケーションのデータ（ファイル）が表示された場合において、その後、表示部１１上でデータに対する編集等が行われ、保存の操作が行われた場合、当該アドレスが示す場合で更新されたデータが保存される。その後、例えば、当該情報表示装置１１もしくは他の情報表示装置上で、記憶装置２０をかざす操作が行われた場合、当該更新されたデータが表示されることになる。
【００４１】
なお、上記の例では、ＩＤ情報格納装置３０からアドレスを取得した表示制御部１２がデータを取得しているが、データを取得する方法はこれに限られるわけではない。ＩＤ情報格納装置３０が、ＩＤに対応付けられたアドレスに基づきデータを取得し、当該データを表示制御部１２に送信することとしてもよい。すなわち、表示制御部１２が、ＩＤ情報格納装置３０により取得された、ＩＤに対応付けられたデータを取得することとしてもよい。また、ＩＤ情報格納装置３０以外の装置がＩＤに対応付けられたデータを取得し、表示制御部１２へ当該データを送信することとしてもよい。
【００４２】
＜登録処理の動作例＞
次に、図５、図６を参照して、ＩＤとアドレスとをＩＤ情報格納装置３０に登録する登録処理の動作例を説明する。
【００４３】
登録処理の前提として、ユーザが登録したいと考えるデータが情報表示装置１０の表示部１１上に表示されているものとする。このデータは、例えば、ユーザが事前に表示部１１上でタッチ操作等を行うことで表示したデータであってもよいし、他のユーザが当該ユーザの記憶装置をかざすことで表示したデータであってもよい。
【００４４】
この状態で、ユーザが記憶装置２０を情報表示装置１０にかざすことにより、情報表示装置１０における表示制御部１２が記憶装置２０に格納されたＩＤを読み取る（ステップ１１）。
【００４５】
ＩＤを読み取った表示制御部１２における処理制御部１２４は、表示されているデータに対応するアドレスを取得し、当該アドレスとＩＤとを情報送受信部１２３からＩＤ情報格納装置３０に送信する（ステップ１２）。ＩＤ情報格納装置３０に送信される情報には、登録を要求することを示す情報（登録要求）がアドレスとＩＤとは別に含まれていてもよい。登録要求がアドレスとＩＤとは別に含まれない場合、ＩＤ情報格納装置３０は、アドレスとＩＤを含むことを登録要求と見なす。
【００４６】
ＩＤとアドレスを受信したＩＤ情報格納装置３０は、ＩＤとアドレスとを対応付けてデータベース３１に格納（登録）する（ステップ１３）。また、例えば、当該ＩＤに対応付けて既にアドレス（旧アドレス）が格納されていた場合は、ステップ１２で受信したアドレスで旧アドレスを上書きする。上書きすることに代えて、アドレスを追加することとしてもよい。
【００４７】
その後、例えば、表示部１１上で編集が行われ、保存の操作が行われた場合、アドレスに対応する保存場所に編集後のデータが格納される。これに代えて、表示部１１上で編集が行われ、記憶装置２０を表示部１１上にかざすことで、保存場所に編集後のデータを格納するようにしてもよい。
【００４８】
なお、どの記憶装置２０で何が表示されるのかを見えるようにするために、記憶装置２０にｅ−ｉｎｋディスプレイを備え、登録時に、ｅ−ｉｎｋを用いてアドレスに対応するデータの内容を示す情報を表示することとしてもよい。
【００４９】
本実施の形態では、データの表示を行う場合と、データの登録を行う場合とで、記憶装置２０を情報表示装置１０にかざすという基本的に同じ操作が行われる。記憶装置２０を情報表示装置１０にかざした場合に、データの表示を行うのか、それとも、データの登録を行うかは、例えば以下のようにして判別することができる。
【００５０】
＜例１＞
表示制御部１２により、表示部１１上に登録ボタン（画像）が表示される（図６（ａ））。登録時には、ユーザが記憶装置２０を情報表示装置１０にかざすとともに登録ボタンにタッチする。表示制御部１２における処理制御部１２４は、ＩＤを取得するとともに、登録ボタンがタッチされたことを検知した場合に「登録」であると判定し、登録処理を行う。処理制御部１２４は、ＩＤを取得しても、所定の期間、登録ボタンがタッチされたことを検知しない場合は、「表示」であると判定し、表示処理を行う。
【００５１】
また、処理制御部１２４は、登録ボタンがタッチされたことを検知した後に、記憶装置２０がかざされてＩＤを取得した場合は「登録」であると判定し、登録ボタンがタッチされたことを検知せずに、記憶装置２０がかざされてＩＤを取得した場合は即座に「表示」であると判定し、表示処理を行うようにしてもよい。つまり、ユーザは、「登録」を行う場合は登録ボタンを押してから記憶装置２０をかざし、「表示」を行う場合は登録ボタンを押さずに記憶装置２０をかざす。
【００５２】
なお、登録ボタンは、表示部１１上の画像として表示されるボタンであってもよいし、情報表示装置１０に備えられるハードウェアのボタンであってもよい。また、登録ボタンをタッチすることに代えて、マウス操作で登録ボタンを選択することとしてもよい。
【００５３】
また、例えば、表示部１１上の画面上に複数のウィンドウが開かれ、複数種類のデータが表示されている場合において、登録ボタンがタッチされ、登録処理を行う場合、表示制御部１２における処理制御部１２４は、複数のウィンドウのうちのアクティブになっているウィンドウを識別し、当該ウィンドウに表示されたデータのアドレスを取得し、ＩＤとともにＩＤ情報格納装置３０に送信することで登録を行う。なお、アクティブになっているウィンドウとは、入力や操作の対象となっているウィンドウのことである。複数のウィンドウが重なっている場合、アクティブになっているウィンドウが最上位に表示される。
【００５４】
また、表示部１１上の画面上に複数のウィンドウが開かれ、複数種類のデータが表示されている場合において、登録ボタンがタッチされ、登録処理を行う場合、ユーザは、登録したいデータが表示されたウィンドウ上に記憶装置２０をかざすようにしてもよい。この場合、例えば、情報表示装置１０内、もしくは情報表示装置１０外（例：表示部１１の上）にカメラを備え、表示制御部１２における処理制御部１２４が、当該カメラにより撮影された画像から、記憶装置２０が配置された表示部１１の画面上の位置を算出し、当該位置に対応するウィンドウのデータのアドレスを登録する。なお、記憶装置２０が配置された表示部１１の画面上の位置を検知する手法は上記の手法に限られず、他の任意の手法を用いてよい。また、ここでの登録処理においては、登録ボタンをタッチしなくても「登録」と判定することとしてもよい。つまり、例えば、表示制御部１２における処理制御部１２４は、データが表示されたウィンドウ上に記憶装置２０がかざされたことを検知した場合に「登録」であると判定する。
【００５５】
＜例２＞
登録時には、ユーザは、記憶装置２０を情報表示装置１０にかざすとともに、表示部１１の画面上でタッチ操作を行う。表示制御部１２における処理制御部１２４は、ＩＤを取得するとともに、タッチ操作が行われたことを検知した場合に「登録」であると判定し、登録処理を行う。処理制御部１２４は、ＩＤを取得しても、所定の期間、タッチ操作を検知しない場合は、「表示」であると判定し、表示処理を行う。
【００５６】
また、例えば図６（ｂ）に示すように、表示部１１上の画面上に複数のウィンドウが開かれ、複数種類のデータが表示されているときに、登録処理を行う場合、表示制御部１２における処理制御部１２４は、ウィンドウがアクティブであるか否かに関わらず、タッチ操作が行われたウィンドウに表示されているデータのアドレスを取得し、ＩＤとともにＩＤ情報格納装置３０に送信することで登録を行う。図６（ｂ）に示す例では、タッチ操作が行われたウィンドウ１のデータのアドレスが登録される。
【００５７】
＜例３＞
上記の登録ボタンやタッチ操作の他、情報表示装置１０内、もしくは情報表示装置１０外にカメラを備え、表示制御部１２における処理制御部１２４が、カメラで取得されたユーザの指等のジェスチャを認識することで登録と表示を識別することとしてもよい。例えば、「登録」を示すジェスチャを検知した場合に登録処理と判定し、検知しない場合に表示処理と判定する。
【００５８】
複数ウィンドウが表示されている場合に、どのウィンドウのデータを登録対象とするかについては、例１、例２と同様の処理で実現できる。また、複数ウィンドウが表示されている場合に、どのウィンドウのデータを登録対象とするかについてもジェスチャを用いて指示することとしてもよい。
【００５９】
＜登録処理の他の動作例＞
前述したように、記憶装置２０として、カードの他に、ＮＦＣ等の近距離無線通信機能を備えたスマートフォン等の携帯端末を用いてもよい。記憶装置２０がスマートフォン等の携帯端末である場合、記憶装置２０はデータ表示機能を持つことから、記憶装置２０に表示されたデータのアドレスを登録の対象とすることが可能である。この場合の動作例を図７を参照して説明する。
【００６０】
記憶装置２０（携帯端末）に登録の対象とするデータが表示されているものとする。ここで、記憶装置２０のユーザは、前述したように、登録ボタンにタッチし、記憶装置２０を情報表示装置１０上にかざす等により登録を行うことを指示する。
【００６１】
情報表示装置１０の表示制御部１２は、記憶装置２０からＩＤを読み取るとともに、記憶装置２０に表示されているデータのアドレス（例：ＵＲＬ）を取得する（ステップ２１）。ここでは、例えば、表示制御部１２は、近距離無線通信を用いて、記憶装置２０に対してアドレス取得要求を送り、記憶装置２０が、当該アドレス取得要求に応じて、データのアドレスを近距離無線通信を用いて表示制御部１２に送信する。
【００６２】
ＩＤとアドレスを取得した表示制御部１２は、当該ＩＤとアドレスをＩＤ情報格納装置３０に送信し（ステップ２２）、ＩＤ情報格納装置３０は、受信したＩＤとアドレスとを対応付けてデータベース３１に格納する（ステップ２３）。
【００６３】
なお、上記の例では、情報表示装置１０を介して登録を行うこととしたが、記憶装置２０から直接にＩＤ情報格納装置３０に対して登録を行うようにしてもよい。
【００６４】
また、表示／登録ボタンを記憶装置２０（スマートフォン等の携帯端末）の画面に表示させ、いずれかのボタンを押してから表示部１１にかざすことで、表示／登録モードを切り替えるようにしてもよい。この例では、例えば、表示ボタンが押された場合に、記憶装置２０から表示制御部１２に「表示」を示す情報が送られ、表示制御部１２はこの情報に基づき表示処理を行うと判定し、登録ボタンが押された場合に、記憶装置２０から表示制御部１２に「登録」を示す情報が送られ、表示制御部１２はこの情報に基づき登録処理を行うと判定する。
【００６５】
登録処理を行う「登録」モードのときに、通常の登録処理に加え、表示部１１に表示されているデータを記憶装置２０（スマートフォン等の携帯端末）にダウンロードすることとしてもよい。この例では、例えば、記憶装置２０が近距離無線通信により表示制御部１２からデータを取得することとしてもよいし、記憶装置２０が表示制御部１２からデータのアドレスを取得し、記憶装置２０が当該アドレスにアクセスすることでデータを取得してもよい。
【００６６】
また、表示処理を行う「表示」モードのときに、記憶装置２０（スマートフォン等の携帯端末）にデータを表示するとともに、当該データをネットワーク接続された装置やクラウドにアップロードしてもよい。この例では、例えば、記憶装置２０が近距離無線通信により表示制御部１２からデータを取得し、表示するとともに、当該データを上記のネットワーク接続された装置やクラウドにアップロードしてもよいし、記憶装置２０が近距離無線通信により表示制御部１２からデータのアドレスを取得し、アドレスに基づきデータを取得して表示するとともに、当該データを上記のネットワーク接続された装置やクラウドにアップロードしてもよい。
【００６７】
また、記憶装置間でＩＤと対応付けられるアドレスを受け渡すような処理を行うことも可能である。この処理を図８を参照して説明する。この例では、記憶装置Ａ，Ｂは、近距離無線通信により、記憶装置間でＩＤの送受信を行う機能を備えているものとする。本例では、記憶装置Ａ，Ｂがスマートフォン等の携帯端末であることを想定している。
【００６８】
まず、記憶装置Ａが記憶装置Ｂに、記憶装置ＡのＩＤ（ＩＤ−Ａとする）を送信する（ステップ３１）。ここでは、例えば、記憶装置Ａと記憶装置Ｂのそれぞれでタッチ操作等を行うことでＩＤ−Ａの送受信を行う。また、記憶装置Ａと記憶装置Ｂとを物理的に接触させることでＩＤ−Ａの送受信を行うこともできる。
【００６９】
ＩＤ−Ａを受信した記憶装置Ｂにおいて、ユーザがタッチ操作等により登録命令を行うことで、記憶装置Ｂは自分のＩＤ（ＩＤ−Ｂとする）と、ＩＤ−ＡをＩＤ情報格納装置３０に送信する（ステップ３２）。ここでは、ＩＤ−Ａに対応付けられたアドレスをＩＤ−Ｂに対応付けて登録することを示す命令とともに、ＩＤ−ＢとＩＤ−Ａを送信することとしてもよい。
【００７０】
ＩＤ情報格納装置３０は、ＩＤ−Ａに基づきデータベース３１を検索することで、ＩＤ−Ａに対応付けられたアドレスを取得し（ステップ３３）、当該アドレスをＩＤ−Ｂと対応付けて格納する（ステップ３４）。
【００７１】
なお、上記の例では、記憶装置ＢがＩＤ情報格納装置３０に対してＩＤ−Ｂ，ＩＤ−Ａを送信することとしたが、情報表示装置１０を経由してＩＤ−Ｂ，ＩＤ−Ａを送信することとしてもよい。
【００７２】
（実施の形態のまとめ、効果）
上記のように本実施の形態によれば、カード等の記憶装置２０を情報表示装置１０の表示部１０上にかざすだけで、例えば他者と共有したいファイルやアプリケーションを情報表示装置１０上に表示させることができる。すなわち、ユーザにストレスを感じさせることなく、目的のものを効率的に表示することができる。
【００７３】
本技術を用いることにより、例えば、複数人で同じデータを見ながら議論したり、異なる記憶装置をかざすことで、データを次々に開きながら議論をすることができる。また、例えば、ユーザが、記憶装置（スマートフォン等）の手元に持っている写真や動画等を、公共スペース等の情報表示装置１０で友人と共有することもできる。
【００７４】
また、本実施の形態では、ユーザは端末等にデータを入れて持ち歩く必要はなく、記憶装置２０だけ持っていればよく、セキュリティを確保できるという効果がある。すなわち、記憶装置２０の中にはデータはなく、持っているのはＩＤだけであり、ＩＤ情報格納装置３０にアクセスしない限りはデータを取り出せないことから、セキュリティを担保することが可能である。また、データを収納するための大容量の装置を持ち歩かなくてもよいという効果もある。
【００７５】
以下、本明細書に開示される構成を例示的に列挙する。
（第１項）
データを表示部上に表示するための表示制御装置であって、
記憶装置からＩＤを読み取る情報読み取り手段と、
前記ＩＤに対応付けられたデータを取得し、当該データを前記表示部上に表示する制御手段と
を備えることを特徴とする表示制御装置。
（第２項）
前記情報読み取り手段は、前記表示部上にかざされた前記記憶装置から前記ＩＤを読み取る
ことを特徴とする第１項に記載の表示制御装置。
（第３項）
前記制御手段は、前記ＩＤを通信ネットワークを介してＩＤ情報格納装置に送信し、当該ＩＤ情報格納装置において前記ＩＤと対応付けて格納されているアドレスを、当該ＩＤ情報格納装置から取得し、当該アドレスに基づき前記データを取得する
ことを特徴とする第１項又は第２項に記載の表示制御装置。
（第４項）
前記制御手段は、前記ＩＤを通信ネットワークを介してＩＤ情報格納装置に送信し、当該ＩＤ情報格納装置が、前記ＩＤと対応付けて格納されているアドレスに基づき前記データを取得し、前記制御手段が当該データを取得する
ことを特徴とする第１項又は第２項に記載の表示制御装置。
（第５項）
前記制御手段は、前記表示部上に表示されたデータに対応するアドレスを取得し、前記記憶装置から読み取られたＩＤと当該アドレスとを前記ＩＤ情報格納装置に格納する登録処理を行う
ことを特徴とする第３項又は第４項に記載の表示制御装置。
（第６項）
前記制御手段は、登録処理を行うことを示す所定の操作がなされたことを検知した場合に、前記登録処理を行う
ことを特徴とする第５項に記載の表示制御装置。
（第７項）
前記所定の操作は、前記制御手段により前記表示部上に表示された登録を示す画像が選択されること、又は、前記制御手段により前記表示部上に表示されたデータが選択されること
であることを特徴とする第６項に記載の表示制御装置。
（第８項）
前記制御手段は、前記登録処理を行う際に、前記表示部上に複数のウィンドウを表示している場合において、アクティブになっているウィンドウに表示されたデータのアドレスと前記ＩＤとを前記ＩＤ情報格納装置に格納する
ことを特徴とする第５項ないし第７項のうちいずれか1項に記載の表示制御装置。
（第９項）
前記表示制御装置は、前記表示部上にかざされる記憶装置の画面上の位置を検出する検出手段を備え、
前記制御手段は、前記登録処理を行う際に、前記表示部上に複数のウィンドウを表示している場合において、前記検出手段により検出された位置に対応するウィンドウに表示されたデータのアドレスと前記ＩＤとを前記ＩＤ情報格納装置に格納する
ことを特徴とする第５項ないし第７項のうちいずれか1項に記載の表示制御装置。
（第１０項）
データを表示部上に表示するための表示制御装置が実行する表示制御方法であって、
記憶装置からＩＤを読み取る情報読み取りステップと、
前記ＩＤに対応付けられたデータを取得し、当該データを前記表示部上に表示する制御ステップと
を備えることを特徴とする表示制御方法。
（第１１項）
コンピュータを、第１項ないし第９項のうちいずれか１項に記載の前記表示制御装置の制御手段として機能させるためのプログラム。
【００７６】
本発明は、上記の実施の形態に限定されることなく、特許請求の範囲内において、種々変更・応用が可能である。
【符号の説明】
【００７７】
１０  情報表示装置
１１  表示部
１２  表示制御部
２０  記憶装置
３０  ＩＤ情報格納装置
１２１  情報読み取り部
１２２  表示・操作処理部
１２３  情報送受信部
１２４  処理制御部
【図１】
0005901690.tif 000002
【図２】
0005901690.tif 000003
【図３】
0005901690.tif 000004
【図４】
0005901690.tif 000005
【図５】
0005901690.tif 000006
【図６】
0005901690.tif 000007
【図７】
0005901690.tif 000008
【図８】
0005901690.tif 000009